(57)【要約】    【課題】  文書の属性を簡易に入力する。    【解決手段】  属性入力画面で、ハイライトされている語句の中に属性として適切なものがあれば、そのハイライト部をポインティング装置１６を用いてクリック操作する。イベント処理部１７がこれを判別して当該ハイライト部のテキスト（リンクされている場合はそのリンク先のテキスト）を取りだしてバッファメモリ１８に書き込む。こののち、属性入力テーブルの対応するフィールドがクリックされると、これをイベント処理部１７が判別してバッファメモリ１８のテキストを当該フィールドに書き込み、その後、バッファメモリ１８の内容をクリアする。【選択図】  図１
2005322082.tif 000002
【特許請求の範囲】
【請求項１】
文書表示領域に文書を属性値候補の語句を強調表示して表示する文書表示手段と、
属性入力フォーム表示領域に属性入力フォームを表示する属性入力フォーム表示手段と、
上記文書表示領域において強調表示されている語句に対するクリック操作と上記属性入力フォーム表示領域における入力フィールドに対するクリック操作とに応答して上記クリック操作の対象の語句を上記クリック操作の対象の入力フィールドに転記する属性値転記手段とを有することを特徴とする文書属性入力装置。
【請求項２】
文書表示領域に文書を属性値候補の語句を強調表示して表示する文書表示手段と、
属性入力フォーム表示領域に属性入力フォームを表示する属性入力フォーム表示手段と、
上記文書表示領域において強調表示されている語句に対するクリック操作に応答して上記クリック操作の対象の語句を上記属性入力フォームの入力フィールドに転記する属性値転記手段とを有することを特徴とする文書属性入力装置。
【請求項３】
定型属性値表示領域に定型的な属性値を表示する定型属性値表示手段をさらに有し、上記定型属性値表示領域において上記定型的な属性値に対してクリック操作が行なわれたときに、上記典型的な属性値を上記入力フィールドに転記する請求項１または２記載の文書属性入力装置。
【請求項４】
上記文書の重要語句を抽出する重要語句抽出手段をさらに有し、上記重要語句抽出手段により抽出した文書を属性値候補の語句として表示する請求項１、２または３記載の文書属性入力装置。
【請求項５】
上記重要語句抽出手段は固有表現を重要語句として抽出する請求項４記載の文書属性入力装置。
【請求項６】
上記文書表示手段は、上記固有表現の種類に応じた表示属性で語句の強調表示を行なう請求項５記載の文書属性入力装置。
【請求項７】
上記文書表示手段により、属性値候補の語句を強調表示して表示される文書はＨＴＭＬ言語で記述され、上記ＨＴＭＬ言語で記述された文書はオリジナルの画像データから文字認識して得られたものであり、上記文書表示手段はＨＴＭＬ言語で記述された上記文書と上記オリジナルの画像データとを切り替えて表示する請求項１〜６のいずれかに記載の文書属性入力装置。
【請求項８】
転記する属性値が属性値として許容できるかどうかを判別する手段を設けた請求項１〜７のいずれかに記載の文書属性入力装置。
【請求項９】
文書表示手段により文書表示領域に文書を属性値候補の語句を強調表示して表示するステップと、
属性入力フォーム表示手段により属性入力フォーム表示領域に属性入力フォームを表示するステップと、
属性値転記手段により、上記文書表示領域において強調表示されている語句に対するクリック操作と上記属性入力フォーム表示領域における入力フィールドに対するクリック操作とに応答して、上記クリック操作の対象の語句を上記クリック操作の対象の入力フィールドに転記するステップとを有することを特徴とする文書属性入力方法。
【請求項１０】
文書表示手段により文書表示領域に属性値候補の語句を強調表示して表示するステップと、
属性入力フォーム表示手段により属性入力フォーム表示領域に属性入力フォームを表示するステップと、
属性値転記手段により、上記文書表示領域において強調表示されている語句に対するクリック操作に応答して、上記クリック操作の対象の語句を上記属性入力フォームの入力フィールドに転記するステップとを有することを特徴とする文書属性入力方法。
【請求項１１】
文書表示手段により文書表示領域に文書を属性値候補の語句を強調表示して表示するステップと、
属性入力フォーム表示手段により属性入力フォーム表示領域に属性入力フォームを表示するステップと、
属性値転記手段により、上記文書表示領域において強調表示されている語句に対するクリック操作と上記属性入力フォーム表示領域における入力フィールドに対するクリック操作とに応答して、上記クリック操作の対象の語句を上記クリック操作の対象の入力フィールドに転記するステップとをコンピュータに実行させるために用いられることを特徴とする文書属性入力用コンピュータプログラム。
【請求項１２】
文書表示手段により文書表示領域に属性値候補の語句を強調表示して表示するステップと、
属性入力フォーム表示手段により属性入力フォーム表示領域に属性入力フォームを表示するステップと、
属性値転記手段により、上記文書表示領域において強調表示されている語句に対するクリック操作に応答して、上記クリック操作の対象の語句を上記属性入力フォームの入力フィールドに転記するステップとを有することをコンピュータに実行させるために用いられることを特徴とする文書属性入力用コンピュータプログラム。
【発明の詳細な説明】
【技術分野】
【０００１】
この発明は、文書を作業者に提示してその文書の属性を入力させる文書属性入力技術に関し、とくに、文書属性を容易に判断して入力できるようにしたものである。
【背景技術】
【０００２】
オフィス空間を有効に利用するために紙文書を遠隔地の比較的コストが低廉な倉庫に保管し、あるいは、破棄し、その内容を電子化して利用することが提案されている。紙文書の電子化は、オフィスコストを抑制するとともに情報の共有化の上でも好ましい。ところで、電子化した文書を管理するために、文書ごとに、重要事項を抽出して割り当てることが好ましい。しかしながら、このような重要事項（文書の属性）を抽出するために、作業者が文書を読み、重要事項を抽出し、さらに、それを入力するするには、多大な時間とコストが必要である。
【０００３】
なお、この発明と関連する特許文献としては、著作権に関連する課金を管理するために著作物画像をその著作権属性とともに表示するものがある（特許文献１）。しかしながら、この文献では、簡易に文書の属性を入力することについては何ら記載がない。
【特許文献１】特開平１０−７９０１６号公報
【発明の開示】
【発明が解決しようとする課題】
【０００４】
この発明は、以上の事情を考慮してなされたものであり、文書から簡易に属性を抽出して入力する文書属性入力技術を提供することを目的としている。
【課題を解決するための手段】
【０００５】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００６】
すなわち、この発明の一側面によれば、上述の目的を達成するために、文書属性入力装置に：文書表示領域に文書を文書属性値候補の語句を強調表示して表示する文書表示手段と；属性入力フォーム表示領域に属性入力フォームを表示する属性入力フォーム表示手段と；上記文書表示領域において強調表示されている語句に対するクリック操作と上記属性入力フォーム表示領域における入力フィールドに対するクリック操作とに応答して上記クリック操作の対象の語句を上記クリック操作の対象の入力フィールドに転記する属性値転記手段とを設けるようにしている。
【０００７】
この構成においては、強調表示（ハイライトともいう）されている文書属性値候補をクリックし、併せて属性入力フォームの入力フィールドをクリックするだけで簡易に文書の属性を入力することができる。
【０００８】
文書属性入力装置は、単一の筐体に収容された機器として構成されても良いし、それぞれ個別の筐体に収容された独立した複数の機器を組み合わせて構成しても良い。例えば、文書属性入力装置を、サーバ装置とクライアント装置等の組み合わせで構成しても良い。
【０００９】
文書属性は、文書作成日、文書所有者、文書管理者、文書保存期限、文書種類等、その文書が持つ特性を広く含む。文書の内容に関するものでなく、文書サイズ等の外形に関するものでも良い。
【００１０】
属性入力フォームは、属性を入力するフォームであり、例えば、テーブル状にしたり、ＨＴＭＬのフォームタグによる入力フィールド状にしたり、種々の形態を採用できる。
【００１１】
語句の強調表示には、文字の色属性、該当部分の背景の色属性、下線、文字書体等、任意の周囲と異なる文字属性等を採用できる。
【００１２】
クリック操作は典型的にはマウス装置等のポインティング装置によりクリック操作であるが、要するに、ポインティング位置を指定するイベント発生操作を広く含み、他のポインティング装置の同等の操作も含む。例えば、カーソルキーと決定キー（エンターキー）とによる操作も含む。
【００１３】
また、この発明の他の側面によれば、上述の目的を達成するために、文書属性入力装置に：文書表示領域に文書を属性値候補の語句を強調表示して表示する文書表示手段と；属性入力フォーム表示領域に属性入力フォームを表示する属性入力フォーム表示手段と；上記文書表示領域において強調表示されている語句に対するクリック操作に応答して上記クリック操作の対象の語句を上記属性入力フォームの入力フィールドに転記する属性値転記手段とを設けるようにしている。
【００１４】
この構成においては、強調表示されている文書属性値候補をクリックするだけで簡易に文書の属性を入力することができる。
【００１５】
属性入力フォームの入力フィールドが複数ある場合には、操作の順番、属性の内容等に基づいて転記先の入力フィールドを一意に決定する。
【００１６】
この構成において、定型属性値表示領域に定型的な属性値を表示する定型属性値表示手段をさらに設け、上記定型属性値表示領域において上記定型的な属性値に対してクリック操作が行なわれたときに、上記典型的な属性値を上記入力フィールドに転記するようにしても良い。定型的な属性値を補充的に入力の補助に用いることができる。
【００１７】
また、上記文書の重要語句を抽出する重要語句抽出手段をさらに設け、上記重要語句抽出手段により抽出した文書を属性値候補の語句として表示するようにしてもよい。上記重要語句抽出手段は固有表現を重要語句として抽出するものでもよい。固有表現は、人名、地名、組織名、通貨、日付等の固有な表現を言う。上記文書表示手段は、上記固有表現の種類に応じた表示属性で語句の強調表示を行なってもよい。
【００１８】
また、上記文書表示手段により、属性値候補の語句を強調表示した表示される文書はＨＴＭＬ言語で記述され、上記ＨＴＭＬ言語で記述された文書はオリジナルの画像データから文字認識して得られたものであり、上記文書表示手段はＨＴＭＬ言語で記述された上記文書と上記オリジナルの画像データとを切り替えて表示するものであってよい。この場合、紙文書を電子化した際に簡易に属性を取得して入力でき、さらに、画像データも表示できるようにしているので確実な検証をオリジナルの文書の電子画像から行なうことができる。
【００１９】
また、転記する属性値が属性値として許容できるかどうかを判別する手段を設けてもよい。共用できない場合には転記を禁止しても良いし、作業時にプロンプトを行なっても良いし、作業後に属性入力フォームの該当フィールドを強調表示して注意を促しても良い。
【００２０】
なお、この発明は、紙文書を電子化した際の文書の属性付与に最適なものであるが、それに限定されず、元々、電子データとして準備されている文書に属性を付与する場合にも適用があることはもちろんである。
【００２１】
また、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００２２】
この発明の上述の側面および他の側面は特許請求の範囲に記載され以下実施例を用いて詳述される。
【発明の効果】
【００２３】
この発明によれば、簡易な操作で文書の属性を入力することができる。
【発明を実施するための最良の形態】
【００２４】
以下、この発明の実施例について説明する。
【実施例１】
【００２５】
まず、この発明の実施例１について説明する。この実施例１は、例えば、１つのコンピュータまたは複数のコンピュータから実現されるものであり、その構成が機能ブロックとして示される。各機能ブロックはコンピュータのハードウェアリソースまたはソフトウェアリソースにより実現される。もちろん、回路部を個別に組み合わせて同様な構成を実現しても良い。
【００２６】
図１は実施例１の文書属性入力装置を示しており、この図において、文書属性入力装置は、ＨＴＭＬ文書表示部１１、画像文書表示部１２、属性入力テーブル表示部１３、定型語句テーブル表示部１４、表示装置１５、ポインティング装置１６、イベント処理部１７、バッファメモリ１８、ＨＴＭＬ文書記憶部１９、画像文書記憶部２０、属性データ記憶部２１、定型語句記憶部２２等を含んで構成されている。
【００２７】
表示装置１５は、ＣＲＴ、液晶表示装置等の通常の表示機器および表示制御部からなり、文字コードや画像を表示するものである。ポインティング装置１６は、例えばマウス装置であり、表示装置１５の表示画面上の座標を指示するものである。ＨＴＭＬ文書表示部１１は、ＨＴＭＬ文書記憶部１９に記憶されているＨＴＭＬ文書を表示するものである。このＨＴＭＬ文書は属性が入力されるべき文書である。このＨＴＭＬ文書は、この例では、紙文書をスキャンインして取得したオリジナルの画像文書（画像データ）を文字認識処理し、そののち固有表現を抽出し当該固有表現をタグにより強調表示したものである。
【００２８】
例えば、図２に示す表示例では、左側のフレームＦ１にＨＴＭＬ文書１５１を表示し、「あいうえ男」（人名）、「Ｈ１６／０５／１０」（日付）、「東京都」（地名）、「日本株式会社」（組織名）等の固有表現を強調表示して示している。
【００２９】
画像文書表示部１２は、画像文書記憶部２０に記憶されているオリジナルの画像文書を表示するものである。ＨＴＭＬ文書と画像文書とは切り替えて表示される。例えば図２の例では、上部にコマンドバーＣに種々のコマンドが設けられ、「画像文書」、「ＨＴＭＬ文書」をクリック操作等することにより文書の切替を行なえる。
【００３０】
属性入力テーブル表示部１３および定型語句テーブル表示部１４はそれぞれ図２の例でフレームＦ２、Ｆ３に属性入力テーブル１５２およびお定型語句テーブル１５３を表示するものである。属性データ記憶部２１は入力された属性データを記憶し、定型語句記憶部２２は定型語句を記憶している。
【００３１】
なお、図１においては、ＨＴＭＬ文書表示部１１、画像文書表示部１２、属性入力テーブル表示部１３、定型語句テーブル表示部１４を別々に表しているが、ＨＴＭＬのフレーム手法等により１つのＨＴＭＬ文書としてウェブブラウザを用いて表示する場合には、１つの表示部として構成できる。画像文書の表示にはプラグインソフトウェアを用いても良い。
【００３２】
イベント処理部１７は、各種イベントを処理するものであり、この例と関連して、ＨＴＭＬ文書のハイライト表示部へのクリック操作を検出してそのハイライト部のテキストをバッファメモリ１８に書き込む。バッファメモリ１８は典型的にはクリップボードである。また、イベント処理部１７は、属性入力テーブルのフィールドがクリックされたときに、バッファメモリ１８に記憶されているテキストを読みだし、そのテキストを当該フィールドに入力する処理を行なう。
【００３３】
また、イベント処理部１７は、定型語句の特定のフィールドがクリックされたときにそのテキストをバッファメモリ１８に書き込む。この後、属性入力テーブルのフィールドがクリックされたときに、バッファメモリ１８に記憶されているテキストを読みだし、そのテキストを当該フィールドに入力する処理を行なう。
【００３４】
このようにして、ＨＴＭＬ文書のハイライト部または定型語句のフィールドをクリックした後、属性入力テーブルのフィールドをクリックすることにより簡易に属性値を入力できる。
【００３５】
図３は、この実施例において、ＨＴＭＬ文書中でハイライトされている語句を属性入力テーブルの該当するフィールドに転記するときの動作例の概略を示しており、この図において、属性入力対象の文書を指定してＨＴＭＬ文書（あるいは画像文書）、属性入力テーブル、定型語句テーブルを表示する（Ｓ１１）。ＨＴＭＬ文書に対するクリックにより属性入力を行なう場合にはＨＴＭＬ文書を表示する。画像文書が表示されている場合には、コマンドバーの「ＨＴＭＬ」ボタンをクリック等してＨＴＭＬ文書が表示されるようにする。つぎにハイライトされている語句の中に属性として適切なものがあれば、そのハイライト部をポインティング装置１６を用いてクリック操作する。イベント処理部１７がこれを判別して当該ハイライト部のテキスト（リンクされている場合はそのリンク先のテキスト）を取りだしてバッファメモリ１８に書き込む（Ｓ１２）。こののち、属性入力テーブルの対応するフィールドがクリックされると、これをイベント処理部１７が判別してバッファメモリ１８のテキストを当該フィールドに書き込み、その後、バッファメモリ１８の内容をクリアする（Ｓ１３）。
【００３６】
図４は、この実施例において、定型語句テーブルの定型語句を属性入力テーブルの該当するフィールドに転記するときの動作例の概略を示しており、この図において、図３と対応する箇所には対応する符号を付した。図４において、属性入力対象の文書を指定してＨＴＭＬ文書（あるいは画像文書）、属性入力テーブル、定型語句テーブルを表示する（Ｓ１１）。定型語句テーブル中に属性として適切なものがあれば、その定型語句をポインティング装置１６を用いてクリック操作する。イベント処理部１７がこれを判別して当該定型語句のテキスト（リンクされている場合はそのリンク先のテキスト）を取りだしてバッファメモリ１８に書き込む（Ｓ１４）。こののち、属性入力テーブルの対応するフィールドがクリックされると、これをイベント処理部１７が判別してバッファメモリ１８のテキストを当該フィールドに書き込み、その後、バッファメモリ１８の内容をクリアする（Ｓ１３）。
【００３７】
属性入力が終了したら「確定」ボタンを押して確定操作をする。
【００３８】
この実施例によれば、ＨＴＭＬ文書中にハイライトして表示される属性候補をクリックし転記先をさらにクリックするだけで簡単に文書の属性を入力することができる。また、同様に定型語句をクリックして転記先をクリックするだけで同様に簡単に文書の属性を入力できる。
【００３９】
なお、この実施例では、ハイライトされている属性候補等の転記元を先にクリックして属性入力テーブルの転記先を後でクリックするようにしたがクリックの順番を逆にしても良い。また、転記先のフィールドが１つの場合や、所定の規則により転記先のフィールドを一意に決定できる場合には、転記元をクリックするだけで転記が行なわれるようにしても良い。
【００４０】
また、図５に示すように、文字認識部２３、固有表現抽出部２４、ＨＴＭＬ文書生成部２５を設けてオリジナルの画像文書からＨＴＭＬ文書を生成してＨＴＭＬ文書記憶部１９に記憶するようにしても良い。文字認識部２３は画像を解析して文字コードを出力する、通常の文字認識手法を実行するものである。固有表現抽出部２４は、氏名、名称、地名、組織名、日付、通貨等、重要な表現を抽出するものであり、通常、字句解析部、抽出ルール実行部を有して成るが、これに限定されない。固有表現抽出部２４は固有表現の種類も特定でき、これにより、ハイライト属性を個別に選択できる。抽出された固有表現およびその種類に基づいてタグでマークアップすることにより所望のＨＴＭＬ文書を生成できる。もちろん、文字認識部２３、固有表現抽出部２４、ＨＴＭＬ文書生成部２５を別途設けて予めＨＴＭＬ文書を作成して作成されたＨＴＭＬ文書を利用するようにしても良い。
【００４１】
さらに、属性値としてあり得ない値を記述するルールテーブル２６を設けてイベント処理部１７がこれを参照し、転記を禁止するようにしても良い。例えば、創立時期が比較的新しく、例えば１９７０年代の会社の文書を電子化する際に、「５６／０１／０１」で年表記が「５６」であった場合には、西暦の「１９５６」ではなく、「昭和５６年」がただしいものであるのであるので、「５６」としての入力や、さらにコンプリート機能を利用した「１９５６」の入力を禁止する。また、このような、あり得ない属性値の判別ルールを設けることにより、文字認識誤りにも対処することができる。
【実施例２】
【００４２】
つぎにこの発明の実施例２について説明する。この実施例２はサーバ装置とクライアント装置とを用いて文書属性入力システムを構築するものである。なお、同一のコンピュータにサーバアプリケーションとクライアントアプリケーションとを実行させてもよいことはもちろんである。
【００４３】
図２は実施例２の文書属性入力システムを全体として示しており、この図において文書属性入力システムはサーバ装置１００およびクライアント装置２００から構成されている。サーバ装置１００は、典型的にはウェブサーバであり、適宜、アプリケーションサーバやデータベースシステムを具備する。サーバ装置１００はクライアント装置２００からＨＴＴＰ要求（ＰＯＳＴ、ＧＥＴ要求等）を受け取って所定の文書をクライアント装置２００に転送する。あるいは、ＨＴＴＰに含まれる引数を所定のプログラムに引き渡しその返り値をクライアント装置２００に転送する。この例では、プログラム実行部１１０が、ＨＴＭＬ文書出力プログラム１１１（図１のＨＴＭＬ文書表示部１１に対応）、画像文書出力プログラム１１２（図１の画像文書表示部１２）、属性入力テーブル出力プログラム（図１の属性入力テーブル表示部１３に対応）、定型語句テーブル出力プログラム１１４（定型語句テーブル表示部１４に対応）を実行する。
【００４４】
記憶装置１２０にはＨＴＭＬ文書や画像文書等が記憶されている。
【００４５】
クライアント装置２００は閲覧ソフトウェア２０１例えばウェブブラウザやプラグインソフトウェアを実行する。この例では、閲覧ソフトウェア２０１が属性入力用のＨＴＭＬ文書（図２の属性入力テーブルや定型語句テーブルを含む全表示）を受け取って表示を行なう。ＨＴＭＬ文書には所定のプログラム言語例えばＪａｖａＳｃｒｉｐｔ（商標）で記述されたスクリプトが含まれている。このスクリプトを閲覧ソフトウェア２０１上で実行する。このスクリプトによりなるイベント処理プログラム２０３がスクリプト実行部２０２により実行される。このイベント処理プログラム２０３は図１のイベント処理部１７に対応する。
【００４６】
図７はこの実施例の動作の概要を説明するものである。図７において、クライアント装置２００の閲覧ソフトウェア２０１が例えば処理対象文書のリストを表示してこのリストの中から処理対象を選択指定する（Ｓ２１）。サーバ装置１００は、処理対象のＨＴＭＬ文書をとりだして図２のフレームＦ１をターゲットして送信する（Ｓ２２）。なお、属性入力テーブルおよび定型語句テーブルを適宜転送するようにしても良い。クライアント装置２００においてＨＴＭＬ文書のハイライト部をクリックして重要語句のテキストをクリップボードに書き込む（Ｓ２３）。このとき、ハイライトは例えば図８の（Ａ）に示すように示すようにタグ付けされ、このときに用いられるスクリプトは図９に示すようなものである。
【００４７】
つぎに属性入力テーブル中のフィールドをクリックすると、フィールド値をクリップボードのテキストで更新するように、当該テキストを引数としてサーバ装置１００の属性テーブル出力プログラム１１３に渡す（Ｓ２４）。このときのクリック操作により実行するスクリプトは図１０に示すようなものである。この例でもクリップボードの内容がクリアされる。サーバ装置１００の属性テーブル出力プログラム１１３は当該フィールドに、当該テキストを書き込んだ属性入力テーブルを生成してクライアント装置２００に転送する。
【００４８】
この実施例でも、簡易に文書の属性を入力できる。
【００４９】
なお、この発明は上述の実施例に限定されるものではなくその趣旨を逸脱しない範囲で種々変更が可能である。例えば、上述例では、画像文書とＨＴＭＬ文書を対として択一的に表示するようにしたが、両者を同時に表示しても良い。また、画像文書を扱わないようにしても良い。また、ＨＴＭＬ言語でなく、ＸＭＬやＸＨＴＭＬ等の他のマークアップ言語を用いても良い。
【図面の簡単な説明】
【００５０】
【図１】この発明の実施例１の構成を説明するブロック図である。
【図２】実施例１の属性表示画面の例を説明する図である。
【図３】実施例１の動作例を説明するフローチャートである。
【図４】実施例１の他の動作例を説明するフローチャートである。
【図５】実施例１の変形例の構成を説明するブロック図である。
【図６】この発明の実施例２の構成を説明する図である。
【図７】実施例２の動作を説明する図である。
【図８】実施例２のＨＴＭＬ文書の例を説明する図である。
【図９】実施例２における転記元からのコピーを説明する図である。
【図１０】実施例２における転記先へのコピーを説明する図である。
【符号の説明】
【００５１】
１１      ＨＴＭＬ文書表示部
１２      画像文書表示部
１３      属性入力テーブル表示部
１３      属性入力テーブル表示部
１４      定型語句テーブル表示部
１５      表示装置
１６      ポインティング装置
１７      イベント処理部
１８      バッファメモリ
１９      ＨＴＭＬ文書記憶部
２０      画像文書記憶部
２１      属性データ記憶部
２２      定型語句記憶部
２３      文字認識部
２４      固有表現抽出部
２５      ＨＴＭＬ文書生成部
１００      クライアント装置
１００      サーバ装置
１１０      プログラム実行部
１１１      ＨＴＭＬ文書出力プログラム
１１２      画像文書出力プログラム
１１３      属性テーブル出力プログラム
１１４      定型語句テーブル出力プログラム
１２０      記憶装置
１５１      ＨＴＭＬ文書
１５２      属性入力テーブル
１５３      定型語句テーブル
２００      クライアント装置
２０１      閲覧ソフトウェア
２０２      スクリプト実行部
２０３      イベント処理プログラム
【図１】
2005322082.tif 000003
【図２】
2005322082.tif 000004
【図３】
2005322082.tif 000005
【図４】
2005322082.tif 000006
【図５】
2005322082.tif 000007
【図６】
2005322082.tif 000008
【図７】
2005322082.tif 000009
【図８】
2005322082.tif 000010
【図９】
2005322082.tif 000011
【図１０】
2005322082.tif 000012